【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
ワイヤレスデバイスによって近隣認識ネットワークを選択するための方法であって、
外部電源によって電力供給されることを含む第1の電力状態を第1の近隣認識ネットワーク(NAN)の第1のマスターデバイスが有することに応じて、前記ワイヤレスデバイスによって、前記第1のNANに関する第1のマスター優先番号(MPN)値を判定するステップであって、前記ワイヤレスデバイスは前記第1のNANに参加している、ステップと、
バッテリーで動作することを含む第2の電力状態を第2の近隣認識ネットワーク(NAN)の第2のマスターデバイスが有することに応じて、前記ワイヤレスデバイスによって、前記第2のNANに関する第2のマスター優先番号(MPN)値を判定するステップであって、前記第1および第2のマスターデバイスのそれぞれはクロック同期メッセージを前記第1のNANおよび前記第2のNANに定期的に送信するように構成された、ステップと、
前記ワイヤレスデバイスによって、前記第1のMPN値と前記第2のMPN値との第1の比較を行うステップと、
前記ワイヤレスデバイスによって、前記第1の比較に少なくとも部分的に基づいて、前記第1のNANへの参加を維持しつつ前記第2のNANに加わるステップと
を含む、方法。
【請求項２】
前記第1のNANおよび前記第2のNANのそれぞれが、第1のネットワークメトリックを含み、前記第1の比較を行うステップが、前記第1および第2のNANに関する前記第1のネットワークメトリックの状態をそれぞれ判定することに基づく、請求項1に記載の方法。
【請求項３】
前記第1のNANまたは前記第2のNANのクロックにマッチするように時間同期フレームを調整するステップをさらに含む、請求項2に記載の方法。
【請求項４】
前記第1のネットワークメトリックが、
前記第1のNANおよび前記第2のNANのそれぞれの経過時間と、
前記第1のNANおよび前記第2のNANのそれぞれに参加するデバイスの数と、
前記第1のNANおよび前記第2のNANのそれぞれの中で提供される複数のサービスと、
前記第1および第2のマスターデバイスのいずれかのクロック精度と
のうちの1つを含む、請求項2に記載の方法。
【請求項５】
前記第1のネットワークメトリックが、前記第1のNANおよび前記第2のNANのそれぞれの各構成メンバーデバイスによって定義されるエリアを表すロケーションを含む、請求項2に記載の方法。
【請求項６】
前記第1の比較を行うステップが、前記第1のNANおよび前記第2のNANのそれぞれに関する関連エリアを前記ワイヤレスデバイスのモビリティの評価基準と比較するステップをさらに含む、請求項5に記載の方法。
【請求項７】
前記第1および第2のNANに関する前記第1のネットワークメトリックの前記判定された状態のそれぞれが、前記第1のNANおよび前記第2のNANが前記ワイヤレスデバイスのネットワーク範囲内にあることになる第1および第2の期間をそれぞれ示す、請求項2に記載の方法。
【請求項８】
前記第1のNANおよび前記第2のNANのそれぞれが、第2のネットワークメトリックを含み、前記第1の比較を行うステップが、前記第1および第2のNANに関する前記第2のネットワークメトリックの状態をそれぞれ判定することにさらに基づく、請求項7に記載の方法。
【請求項９】
前記第2のネットワークメトリックが、ネットワーク速度を含み、前記第1の比較を行うステップが、前記第1のNANに関する前記関連する第1のネットワークメトリックおよび前記関連する第2のネットワークメトリックの前記関連する状態と前記第2のNANに関する前記関連する第1のネットワークメトリックおよび前記関連する第2のネットワークメトリックの前記関連する状態とを比較するステップを含み、前記第2のNANに加わるステップが、前記関連する状態の前記比較に基づく、請求項8に記載の方法。
【請求項１０】
前記第1の比較を行うステップが、前記第1のNANの経過時間と前記第2のNANの経過時間とを比較することに基づく、請求項1に記載の方法。
【請求項１１】
前記第1の比較を行うステップが、前記第1のNANに参加するデバイスの数と前記第2のNANに参加するデバイスの数とを比較することに基づく、請求項1に記載の方法。
【請求項１２】
前記第1の比較を行うステップが、前記第1のNANで提供される複数のサービスと前記第2のNANで提供される複数のサービスとを比較することに基づく、請求項1に記載の方法。
【請求項１３】
前記第1の比較を行うステップが、前記第1のマスターデバイスのクロック精度と前記第2のマスターデバイスのクロック精度とを比較することに基づく、請求項1に記載の方法。
【請求項１４】
近隣認識ネットワークの選択を行うために構成されたワイヤレス装置であって、
少なくとも第1の近隣認識ネットワーク(NAN)および第2の近隣認識ネットワーク(NAN)から情報を受信するように構成された受信機と、
プロセッサであって、
外部電源によって電力供給されることを含む第1の電力状態を第1のNANの第1のマスターデバイスが有することに応じて、前記第1のNANに関する第1のマスター優先番号(MPN)値を判定することであって、前記ワイヤレス装置は前記第1のNANに参加している、ことと、
バッテリーで動作することを含む第2の電力状態を第2の近隣認識ネットワーク(NAN)の第2のマスターデバイスが有することに応じて、前記第2のNANに関する第2のマスター優先番号(MPN)値を判定することであって、前記第1および第2のマスターデバイスのそれぞれはクロック同期メッセージを前記第1のNANおよび前記第2のNANに定期的に送信するように構成された、ことと、
前記第1のMPN値と前記第2のMPN値との第1の比較を行うことと、
前記第1の比較に少なくとも部分的に基づいて、前記第1のNANへの参加を維持しつつ前記第2のNANに加わることと
を行うように構成されたプロセッサと
を含む、装置。
【請求項１５】
前記第1のNANおよび前記第2のNANのそれぞれが、第1のネットワークメトリックを含み、前記第1の比較を行うことが、前記第1および第2のNANに関する前記第1のネットワークメトリックの状態をそれぞれ判定することに基づく、請求項14に記載の装置。
【請求項１６】
前記プロセッサが、前記第1のNANまたは前記第2のNANのクロックにマッチするように時間同期フレームを調整するようにさらに構成された、請求項15に記載の装置。
【請求項１７】
前記第1のネットワークメトリックが、
前記第1のNANおよび前記第2のNANのそれぞれの経過時間と、
前記第1のNANおよび前記第2のNANのそれぞれに参加するデバイスの数と、
前記第1のNANおよび前記第2のNANのそれぞれの中で提供される複数のサービスと、
前記第1および第2のマスターデバイスのいずれかのクロック精度と
のうちの1つを含む、請求項15に記載の装置。
【請求項１８】
前記第1のネットワークメトリックが、前記第1のNANおよび前記第2のNANのそれぞれの各構成メンバーによって定義されるエリアを表すロケーションを含む、請求項15に記載の装置。
【請求項１９】
前記プロセッサが、前記第1のNANおよび前記第2のNANのそれぞれに関する関連エリアを前記ワイヤレス装置のモビリティの評価基準と比較するようにさらに構成された、請求項18に記載の装置。
【請求項２０】
NANを選択するための装置であって、
外部電源によって電力供給されることを含む第1の電力状態を第1のNANの第1のマスターデバイスが有することに応じて、前記第1のNANに関する第1のマスター優先番号(MPN)値を判定するための手段であって、前記装置は前記第1のNANに参加している、手段と、
バッテリーで動作することを含む第2の電力状態を第2の近隣認識ネットワーク(NAN)の第2のマスターデバイスが有することに応じて、前記第2のNANに関する第2のマスター優先番号(MPN)値を判定するための手段であって、前記第1および第2のマスターデバイスのそれぞれはクロック同期メッセージを前記第1のNANおよび前記第2のNANに定期的に送信するように構成された、手段と、
前記第1のMPN値と前記第2のMPN値との第1の比較を行うための手段と、
前記第1の比較に少なくとも部分的に基づいて、前記第1のNANへの参加を維持しつつ前記第2のNANに加わるための手段と
を含む、装置。
【請求項２１】
前記第1のNANおよび前記第2のNANのそれぞれが、第1のネットワークメトリックを含み、前記第1の比較を行うことが、前記第1および第2のNANに関する前記第1のネットワークメトリックの状態をそれぞれ判定することに基づく、請求項20に記載の装置。
【請求項２２】
前記第1のNANまたは前記第2のNANのクロックにマッチするように時間同期フレームを調整するための手段とをさらに含む、請求項21に記載の装置。
【請求項２３】
前記第1のネットワークメトリックが、
前記第1のNANおよび前記第2のNANのそれぞれの経過時間と、
前記第1のNANおよび前記第2のNANのそれぞれに参加するデバイスの数と、
前記第1のNANおよび前記第2のNANのそれぞれの中で提供される複数のサービスと、
前記第1および第2のマスターデバイスのいずれかのクロック精度と
のうちの1つを含む、請求項21に記載の装置。
【請求項２４】
前記第1のネットワークメトリックが、前記第1のNANおよび前記第2のNANのそれぞれの前記各構成メンバーによって定義されるエリアを表すロケーションを含む、請求項21に記載の装置。
【請求項２５】
前記第1の比較を行うための手段が、前記第1のNANおよび前記第2のNANのそれぞれに関する関連エリアを前記装置のモビリティの評価基準とさらに比較する、請求項24に記載の装置。
【請求項２６】
実行されると、ワイヤレスデバイスに
外部電源によって電力供給されることを含む第1の電力状態を第1の近隣認識ネットワーク(NAN)の第1のマスターデバイスが有することに応じて、前記第1のNANに関する第1のマスター優先番号(MPN)値を判定することであって、前記ワイヤレスデバイスは前記第1のNANに参加している、ことと、
バッテリーで動作することを含む第2の電力状態を第2の近隣認識ネットワーク(NAN)の第2のマスターデバイスが有することに応じて、前記第2のNANに関する第2のマスター優先番号(MPN)値を判定することであって、前記第1および第2のマスターデバイスのそれぞれはクロック同期メッセージを前記第1のNANおよび前記第2のNANに定期的に送信するように構成された、ことと、
前記第1のMPN値と前記第2のMPN値との第1の比較を行うことと、
前記第1の比較に少なくとも部分的に基づいて、前記第1のNANへの参加を維持しつつ前記第2のNANに加わることと
をさせるコードを含む、コンピュータ可読記憶媒体。
【請求項２７】
前記第1のNANおよび前記第2のNANのそれぞれが、第1のネットワークメトリックを含み、前記第1の比較を行うことが、前記第1および第2のNANに関する前記第1のネットワークメトリックの状態をそれぞれ判定することに基づく、請求項26に記載のコンピュータ可読記憶媒体。
【請求項２８】
前記ワイヤレスデバイスに、前記第1のNANまたは前記第2のNANのクロックにマッチするように時間同期フレームを調整することをさらにさせる、請求項27に記載のコンピュータ可読記憶媒体。
【請求項２９】
前記第1のネットワークメトリックが、
前記第1のNANおよび前記第2のNANのそれぞれの経過時間と、
前記第1のNANおよび前記第2のNANのそれぞれに参加するデバイスの数と、
前記第1のNANおよび前記第2のNANのそれぞれの中で提供される複数のサービスと、
前記第1および第2のマスターデバイスのいずれかのクロック精度と
のうちの1つを含む、請求項27に記載のコンピュータ可読記憶媒体。
【請求項３０】
前記第1のネットワークメトリックが、前記第1のNANおよび前記第2のNANのそれぞれの各構成メンバーによって定義されるエリアを表すロケーションを含む、請求項27に記載のコンピュータ可読記憶媒体。
【請求項３１】
前記ワイヤレスデバイスに、前記第1のNANおよび前記第2のNANのそれぞれに関する関連エリアを前記ワイヤレスデバイスのモビリティの評価基準と比較することをさらにさせる、請求項30に記載のコンピュータ可読記憶媒体。